(57)【特許請求の範囲】
【請求項１】
ふくらはぎを囲繞するようふくらはぎの外径に対応する内径を有するリング状で、リング断面が円形状を呈する弾性材製の転動リング体から成り、この転動リング体は、ふくらはぎを囲繞した状態でふくらはぎの上下方向に沿って移動するとき、転動リング体自体の内径側の内側面、外径側の外側面がふくらはぎに当接回転しながら転動することでふくらはぎを揉みほぐすようにしてあると共に、内側面、外側面には、ふくらはぎを部分的に押圧する螺旋突条状の押圧部が転動リング体を巻回するよう転動リング体に一体状にして隆起形成されていることを特徴とするふくらはぎ用マッサージ具。
【請求項２】
押圧部は、転動リング体の内側面、外側面を巻回して連続配置されている請求項１に記載のふくらはぎ用マッサージ具。
【請求項３】
ふくらはぎを囲繞するようふくらはぎの外径に対応する内径を有するリング状で、リング断面が円形状を呈する弾性材製の転動リング体から成り、この転動リング体は、ふくらはぎを囲繞した状態でふくらはぎの上下方向に沿って移動するとき、転動リング体自体の内径側の内側面、外径側の外側面がふくらはぎに当接回転しながら転動することでふくらはぎを揉みほぐすようにしてあると共に、内側面、外側面には、ふくらはぎを部分的に押圧する所定断面を呈する突部状にした押圧部が内側面、外側面の転動方向に沿う配置形態、転動方向に直交する配置形態で配列されて転動リング体に一体状にして隆起形成されていることを特徴とするふくらはぎ用マッサージ具。
【発明の詳細な説明】
【技術分野】
【０００１】
本発明は、身体において第２の心臓といわれるふくらはぎ（膨ら脛・脹ら脛）を簡単に揉みほぐすことができ、ふくらはぎにおける血液循環を促進させて健康維持を図るのに役立つふくらはぎ用マッサージ具に関する。
【背景技術】
【０００２】
身体の健康を保つには、身体の血液循環を良好に維持することが肝要とされており、特に二足歩行する人間の身体においては、心臓の下部に流れた血液をその重力に逆らって戻されなければならないから、特に下肢であるふくらはぎにおける血液をいかにして心臓に戻すのかが重要となる。そのため、ふくらはぎの筋肉群は、血液を心臓に押し上げる作用を備えたものとなっており、近時ではふくらはぎ部におけるこの押し上げポンプ作用の重要性が認識されている。すなわち、重力によって足先に溜まりがちな血液をふくらはぎの強靱な筋肉群による力強く戻すための押し上げポンプ作用を十分に発揮させることが、静脈全体の流れを活性化させ、血液を滞りなく心臓に戻す仕組みを維持するのに必要であることが一般に理解されつつある。
【０００３】
ただ、ふくらはぎを自身で揉みほぐすには、ふくらはぎが身体の下肢部位であることから、揉みほぐすにしてもその姿勢を維持するのは比較的に容易ではなく、面倒でもある。こうした観点からふくらはぎを揉みほぐし、ふくらはぎにおける血液の滞留を防止すべく、各種のふくらはぎ用のマッサージ具が提案されており、例えば特許文献１に係るマッサージ具であり、特許文献２に係る深奥静脈を鼓動するための脛当て等である。特許文献１のマッサージ具は、伸縮可能な環状の紐状部材に球状の回転部材を回転可能に取り付けて成り、紐状部材を例えばふくらはぎを囲繞するようにふくらはぎに嵌め合わせ装着させてふくらはぎに沿って移動させることにより、回転部材がふくらはぎ面で転動することで押圧するとする。特許文献２の脛当ては、複数段に連結したドーナツ状の空気嚢を例えばふくらはぎ周囲に巻回した状態で順次に供給した圧搾空気によって膨張させることで、ふくらはぎを段階的に押圧するとする。
【先行技術文献】
【特許文献】
【０００４】
【特許文献１】特開２００２−２９１８２７号公報
【特許文献２】特表２００７−５０２１７７号公報
【発明の概要】
【発明が解決しようとする課題】
【０００５】
ところが特許文献１のマッサージ具では、紐状部材をふくらはぎを囲繞するように嵌め合わせ装着しても、移動させるための連結部材を要し、また回転部材が紐状部材に沿って位置がずれるとふくらはぎに対する押圧部位が偏位するから、個々の回転部材の紐状部材に対する位置決めされた取り付け構造としなければならない。また、特許文献２の脛当てでは圧搾空気の形成、その順次の供給、強弱の設定調整等の制御が必要となるから、機器自体が複雑化し、必然的に高価なものとなる。
【０００６】
そこで本発明は上述したような従来存した諸事情に鑑み創出されたもので、その目的は例えばふくらはぎを囲繞するよう装着して、マッサージ具自体をいわばくるくると転動させることで、ふくらはぎ面を適宜に押圧し、またマッサージ具の表面に形成した押圧部がふくらはぎ面を部分的にでも刺激し、このように押圧することでふくらはぎにおける筋肉を十分に揉みほぐすことができ、ふくらはぎにおける血液の滞留を防止し、ふくらはぎにおける押し上げポンプ作用を円滑にすることで静脈全体の流れを活性化できるようにするふくらはぎ用マッサージ具を提供することにある。
【課題を解決するための手段】
【０００７】
上述した課題を解決するため、本発明にあっては、後述する発明を実施するための形態における使用符号を付記して説明すると、被マッサージ部位を囲繞する内径を有するリング状の弾性材製の転動リング体１から成り、被マッサージ部位を囲繞した状態で被マッサージ部に沿って内外面で反転しながら移動されることで被マッサージ部を揉みほぐすようにしたことを特徴とする。
また、被マッサージ部位を囲繞する内径を有するリング状の弾性材製の転動リング体１を形成し、この転動リング体１の表面には、被マッサージ部位を部分的に押圧する突部状の押圧部２を転動リング体１と一体に形成したことを特徴とする。
押圧部２は、転動リング体１の表面に連続した螺旋突条状に隆起させて形成されることで構成することができる。
また、押圧部２は、所定断面を呈する突部状にして、転動リング体１の表面上で不連続な螺旋形態、移動方向に沿う配置形態、移動方向に直交する配置形態で配列して構成することができる。
押圧部２は、転動リング体１の表面で転動リング体１の断面においての移動方向に沿って、あるいはこの移動方向に直交する方向に沿って、あるいは交差させて配置された連続する突条状に形成することができる。
より具体的には、その一つは、ふくらはぎを囲繞するようふくらはぎの外径に対応する内径を有するリング状で、リング断面が円形状を呈する弾性材製の転動リング体から成り、この転動リング体は、ふくらはぎを囲繞した状態でふくらはぎの上下方向に沿って移動するとき、転動リング体自体の内径側の内側面、外径側の外側面がふくらはぎに当接回転しながら転動することでふくらはぎを揉みほぐすようにしてあると共に、内側面、外側面には、ふくらはぎを部分的に押圧する螺旋突条状の押圧部が転動リング体を巻回するよう転動リング体に一体状にして隆起形成されていることを特徴とする。
また、他の一つは、ふくらはぎを囲繞するようふくらはぎの外径に対応する内径を有するリング状で、リング断面が円形状を呈する弾性材製の転動リング体から成り、この転動リング体は、ふくらはぎを囲繞した状態でふくらはぎの上下方向に沿って移動するとき、転動リング体自体の内径側の内側面、外径側の外側面がふくらはぎに当接回転しながら転動することでふくらはぎを揉みほぐすようにしてあると共に、内側面、外側面には、ふくらはぎを部分的に押圧する所定断面を呈する突部状にした押圧部が内側面、外側面の転動方向に沿う配置形態、転動方向に直交する配置形態で配列されて転動リング体に一体状にして隆起形成されていることを特徴とする。
【０００８】
以上のように構成された本発明に係るふくらはぎ用マッサージ具にあって、例えばふくらはぎなどの被マッサージ部を囲繞させて転動リング体１を強制的にでも装着し、手指などで押し付けながら転動リング体１自体をふくらはぎに内側面、外側面を当接転動させながらふくらはぎに沿って上下に移動させることで、ふくらはぎ面を押圧刺激し、揉みほぐさせ、血液の流れを良好にさせ、全身の血液循環を促進させる。
更に転動リング体１の内側面、外側面に形成した押圧部２が被マッサージ面を、転動リング体１の転動移動と共に部分的にでも押圧刺激し、揉みほぐし、血液循環を良好にさせる。
転動リング体１は弾性材製であることで、被マッサージ部を囲繞した状態で押圧移動されるとき、内側面と外側面とが交互に反転されながら転動され、転動リング体１表面の押圧部２を被マッサージ部に部分的に押圧させる。
螺旋突条状の押圧部２は、転動リング体１自体の転動によって被マッサージ部に対し左方あるいは右方に押圧部位を順次に移動させ、筋肉を十分にもみほぐしさせる。
突部状の押圧部２の配列、移動方向に沿ったあるいはこれに直交する方向に沿った押圧部２の配列は、転動リング体１自体の転動による不連続、あるいは移動方向に沿っての連続した、あるいは所定間隔毎に被マッサージ部を押圧し、点状・線状に刺激させる。
【発明の効果】
【０００９】
本発明は以上説明したように構成されているため、例えばふくらはぎを囲繞するよう装着して、転動リング体１自体をいわばくるくると反転させながら転動させるように上下に移動させることで、ふくらはぎ面を適宜に押圧し、更にマッサージ具の表面に形成した押圧部２がふくらはぎ面を部分的にでも刺激し、また押圧することでふくらはぎにおける筋肉を十分に揉みほぐすことができる。そして、このもみほぐしによってふくらはぎにおける血液の滞留を防止し、ふくらはぎの筋肉群による押し上げポンプ作用を円滑にし、全身における静脈全体の流れを活性化できることで、身体の健康維持に大きく役立たせることができる。
【００１０】
すなわちこれは、本発明において、例えばふくらはぎなどの被マッサージ部位を囲繞する内径を有するリング状の弾性材製の転動リング体１が、被マッサージ部位を囲繞した状態で被マッサージ部に沿って内外面で反転しながら移動されることで被マッサージ部を揉みほぐすようにしたからであり、これによって、ふくらはぎにおける筋肉群のもみほぐしによる血液滞留の防止、特にふくらはぎ部における血液ポンプ作用の改善、静脈全体の活性化等を図り得る。
【００１１】
また、転動リング体１の表面には、被マッサージ部位を部分的に押圧する突部状の押圧部２を転動リング体１と一体に形成することで、転動リング体１の反転しながらの被マッサージ部に対する部分的な押圧作用を付加することができ、これによって例えば点状、線状等による押圧刺激作用によって筋肉のもみほぐしを一層効率的に行える。
【００１２】
また、転動リング体１の表面に連続した螺旋突条状に隆起させて形成された押圧部２は、転動リング体１自体の内外側を反転させての転動しながらの移動によって、移動方向での左方あるいは右方に刺激部位を順次に押圧することになり、ふくらはぎの左右側、中央部分を満遍なく刺激し、血流を促進させることができる。
【００１３】
配列形態が連続あるいは不連続な突部状の押圧部２、移動方向に沿ってのあるいはこれに直交する方向に沿って配列された押圧部２は、転動リング体１の反転状の転動に伴い、被マッサージ部を不連続に、あるいは移動方向に沿っての連続あるいは不連続にして、あるいは所定間隔毎に押圧し、被マッサージ部を点状・線状に刺激させることができる。
【００１４】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１５】
【図１】本発明を実施するための一形態を示す斜視図である。
【図２】同じく断面図である。
【図３】同じく使用状態の一例を示す斜視図である。
【発明を実施するための形態】
【００１６】
以下、図面を参照して本発明を実施するための一形態を説明すると、図において示される符号１は身体の例えばふくらはぎを囲繞できるようにリング状に形成した転動リング体であり、図２に示すように、そのリング断面は円形状を呈していて、ふくらはぎの外径に対応した内径を有し、内径側の内側面がふくらはぎ面に当接し、外径側の外側面がふくらはぎの外方に位置した状態でふくらはぎを囲繞した状態でふくらはぎに装着されるようになっている（図２、図３参照）。この転動リング体１自体は、マッサージ部位である例えばふくらはぎを囲繞した状態でふくらはぎに沿って上下動されるとき、この転動リング体１自体の内側面が被マッサージ部面との間に生じる摩擦抵抗によって、転動リング体１の移動方向の前側では、その外側面が内側面に向ってふくらはぎ面に順次に当接するように、後側では内側面が外側面に向かってふくらはぎ面から離反するように反転してくるくる回るように、リング断面の周方向に沿って転動するものとなっている。また、くるくる回り込めるような、例えば適度な柔軟性・伸縮性・弾性があるシリコン樹脂、エストラマー樹脂等によって転動リング体１は形成されている。
【００１７】
このように柔軟性・伸縮性・弾性があることで、外径に部分的な相違があるふくらはぎを囲繞した状態で移動させるときのふくらはぎに対するしっくりした密着性、移動の円滑性等が図れるようにしている。
【００１８】
また、この転動リング体１は、ふくらはぎの外形大きさである外径に対応して例えば内径が７０ｍｍ、８０ｍｍ、９０ｍｍ等の３種類、３タイプのものとして形成され、転動リング体１自体のリング断面における外径は例えば１０〜１５ｍｍ程度としてあるも、もとよりこれらに限定されるものではない。
【００１９】
この転動リング体１の表面である内側面、外側面には、被マッサージ面である例えばふくらはぎ面を部分的、すなわちツボを刺激する如き、一部を強い力で点状に刺激するような押圧部２が突部状に形成されている。この押圧部２は、転動リング体１の表面に連続した螺旋突条状に隆起させて形成されており、例えば直径が４．５ｍｍ程度の紐状材を転動リング体１に対して例えば４５度程度の傾きを設定することで転動リング体１と一体に形成してある。この螺旋突条状の形態とすることで、転動リング体１自体が反転しながら被マッサージ面上で転動するとき、被マッサージ面上で移動方向に対して被押圧部分が左方あるいは右方に移動されながら順次に押圧されることになる。また、螺旋形態とするとき、その螺旋条数は、図示のように１本である場合に限らず複数本とすることもでき、場合によっては交差形態とすることも可能である。
【００２０】
図示を省略したが、押圧部２は、断面で例えば円形あるいは三角形、矩形その他の多角形状を呈する突部・突体状に形成することができ、必要があれば頂部をやや鋭角状にした錐体形状とすることもできる。この突部状の押圧部２によると、ふくらはぎを囲繞し、内側面が当接した状態での転動リング体１の反転、転動によって、突部体の頂部がふくらはぎ面を点状にやや強く圧迫し、強い刺激を与えることができる。この突部体状の押圧部２の配列は、不連続とした螺旋形態、転動リング体１の表面で転動リング体１のリング断面においての転動方向に沿っていたり、この転動方向に直交する方向であったりした配置形態とすることができ、その配置形態はいずれも特に限定されない。
【００２１】
また、いずれも図示を省略したが、押圧部２は、転動リング体１の表面で転動リング体１のリング断面においての転動方向に沿って、すなわち転動リング体１におけるリング断面の周方向に沿って配置された連続する突条状に形成されたり、あるいはこの転動方向に直交する方向に沿って、すなわち転動リング体１のリング方向に沿って配置された連続する突条状に形成されたり、あるいはリング断面の周方向とリング方向とで連続する突条を互いに交差させた格子状に配置形成したりすることができる。このように、転動リング体１の移動方向に沿う配置であると被マッサージ面を転動方向に沿って連続的に刺激でき、転動方向に直交する方向に沿う配置であると被マッサージ面を所定間隔毎に刺激できる。尚、突条状とするとき、転動方向と、この転動方向に直交する方向とで格子状配置とすることもでき、この場合に必要あれば、少なくともいずれか一方を傾斜させて交差するような配置とすることも可能である。
【００２２】
いずれにしても、この押圧部２は、突部状としたり、突条状としたり、その配置が連続あるいは不連続であっても、また規則的な配列形態とせずに、不規則なランダムな配置形態であっても良いのであり、要は転動リング体１の内側面、外側面による転動によって被マッサージ部を部分的に押圧、刺激すれば足りる。
【００２３】
次にこれの使用の一例を説明すると、図３に示すようにマッサージを必要とする身体部位例えばふくらはぎに、ふくらはぎ面がやや強制的にでも押しつけられる程度の内径を有する転動リング体１から成る本発明具を選択し、選択した本発明具によってふくらはぎを囲繞するように嵌め合わせる。嵌め合わせ後は、転動リング体１を手指等でなぞるように押圧しながらふくらはぎに沿って上下に繰り返し移動させれば良く、その移動によって、転動リング体１は内側面と外側面とが順次に反転しながら転動し、その押圧部２がふくらはぎ面を部分的に押圧し、適当な刺激を与えることで、ふくらはぎにおける静脈の血流を促進させるのである。
【００２４】
尚、マッサージ部位は、図示のようにふくらはぎ部に限らず、足部であったり、腕部であったりしても良く、転動リング体１によって囲繞可能な部位であればいずれでも同様に使用できる。
【００２５】
また、転動リング体１のふくらはぎなどの被マッサージ部に対する装着は、肌面に直接に当てる場合でも、例えば靴下、ズボン、パンツ等の下衣の上からの間接的に当てても良く、いずれも同様に使用できる。
【符号の説明】
【００２６】
１…転動リング体                        ２…押圧部
【要約】
【課題】主としてふくらはぎを揉み、マッサージするのに好適となるように例えばエストラマー樹脂、シリコン樹脂等によってリング状に形成する。
【解決手段】被マッサージ部位を囲繞する内径を有するリング状の弾性材製の転動リング体１を形成し、この転動リング体１は、被マッサージ部位を囲繞した状態で被マッサージ部に沿って内外面で反転しながら移動されることで被マッサージ部を揉みほぐすようにしてある。また、この転動リング体１の表面には、被マッサージ部位を部分的に押圧する突部状の押圧部２を転動リング体１と一体に形成し、この押圧部２は、転動リング体１の表面に連続した螺旋突条状に隆起させて形成する。あるいは規則的、不規則的に配列された所定断面を呈する突部状にしたり、不連続な螺旋形態、移動方向に沿う配置形態、移動方向に直交する配置形態、更には交差配置された連続する突条状に形成したりする。
【選択図】図１【図１】
0005621069.tif 000002
【図２】
0005621069.tif 000003
【図３】
0005621069.tif 000004